(57)【特許請求の範囲】
【請求項１】
切土法尻に、林道の側溝に沿って設けられ、前記側溝の蓋を兼用するウッドフェンスであって、
一定間隔で水平方向に平行に配置した二本の水平棒間に、第一板材を架設した水平部材と、
前記二本の水平棒の各前端部に、後端部を回動自在に取付けた二本の回動棒間に第二板材を架設した回動部材と、
前記二本の水平棒の各後端部に、該水平棒に対して垂直方向に固定した二本の垂直棒とからなり、
前記二本の水平棒の前端部下面を、前記側溝の切土法尻側である外側壁の上端面に上載すると共に、前記垂直棒の下部を切土法尻に埋設し、
前記回動部材を、通常時は、起立姿勢としてフェンスとして機能させ、大雨等の災害時には、横転姿勢として側溝の上端開口部を塞ぎ、該側溝の蓋として機能させてなることを特徴とする側溝蓋兼用ウッドフェンス。
【請求項２】
前記回動部材を、雨水や流出する土砂の圧力によって自動的に回動させて前記横転姿勢とし、側溝の蓋として機能させてなることを特徴とする請求項１に記載の側溝蓋兼用ウッドフェンス。
【請求項３】
前記水平部材の第一板材と、前記回動部材の第二板材との間に、雨水が通過する間隙を形成してなることを特徴とする請求項１または２に記載の側溝蓋兼用ウッドフェンス。
【請求項４】
前記回動部材の前記起立姿勢の位置決めを、該回動部材の第二板材の下端角部を、前記水平部材の第一板材の上面に当接させて行ってなることを特徴とする請求項１乃至３のいずれかに記載の側溝蓋兼用ウッドフェンス。
【発明の詳細な説明】
【０００１】
【発明の属する技術分野】
本発明は、切土法尻に、林道の側溝に沿って設けられ、通常時は、法面の土砂が林道に流出するのを防止するためのフェンスとして機能し、大雨等の災害時には、側溝内が土砂によって埋まるのを防止するための蓋として機能する、側溝蓋を兼用したウッドフェンスに関するものである。
【０００２】
【従来の技術】
近年、あらゆる産業分野において、地球環境に優しい、いわゆる資源還元型の事業が進められている。こうしたなか、林業の分野においては、森林資源の有効利用および森林の公益的機能の増大が求められ、とりわけ、間伐の実施と間伐材の利用促進が焦眉の課題となっている。
【０００３】
こうした課題に着目し、最近、林道事業においても間伐材を利用した工法が創案されてきている。
しかし、その多くは、木材そのものが持つ能力を十分に生かした利用方法とは言えず、ただ単に、木材を使用しているに過ぎない。そうした利用方法では、木製品が持つコスト高というデメリットを克服することはできない。コスト高の木材を利用しながらも、それを上回る経済性と付加価値をどのように現出させるかが重要である。
【０００４】
また、一般に、比較的小径である間伐材を、高い強度が求められる永久構造物の主要部材として利用することは、それに防腐処理を施しても１５〜２０年経過すると腐朽することから事実上困難である。
【０００５】
しかし、間伐材は軽量で加工性に優れるといった利点を考慮すると、その活用方法次第では、木材が持つ特質を十分に引き出し、コスト高というデメリットを克服する付加価値を付けていくことは十分可能であると考える。
こうした考えから、本発明者らは先に間伐材を利用したウッドソイルフェンスを創案し、出願した（特許文献１参照）。
【０００６】
【特許文献１】
特開平１１−９３１７５号公報
【０００７】
このウッドソイルフェンスは切土法面に設けられ、上方から流出してくる土砂の林道への流出を阻止し、林道や側溝を保護し、それらの維持管理費の軽減を図ることができる。
【０００８】
【発明が解決しようとする課題】
しかしながら、従来のウッドソイルフェンスの機能にも限界があり、例えば、予想を超える大雨の際には土砂の林道への流出を許してしまう。流出した土砂は側溝に流れ込んで水路を断つため、一箇所に大量の雨水がたまって林道や家屋が浸水したり、あるいはその大量の雨水が土砂と共に土石流として一気に流れ出すなどして、大きな被害が発生し易い。従って、大雨の被害を最小限に抑えるためには側溝の水路をいかに確保するかが重要な課題となる。
【０００９】
そこで、本発明の目的とするところは、従来のウッドソイルフェンスの機能をさらに強化して、大雨等の災害時には側溝の水路を確保して、その被害を未然に防止することのできる側溝蓋兼用ウッドフェンスを提供することにある。
【００１０】
【課題を解決するための手段】
上記の目的を達成するために、本発明の請求項１に記載の発明は、切土法尻（Ｔ）に、林道（Ｒ）の側溝（５）に沿って設けられ、前記側溝（５）の蓋を兼用するウッドフェンスであって、一定間隔で水平方向に平行に配置した二本の水平棒（２ａ）間に、第一板材（２ｂ）を架設した水平部材（２）と、前記二本の水平棒（２ａ）の各前端部に、後端部を回動自在に取付けた二本の回動棒（３ａ）間に第二板材（３ｂ）を架設した回動部材（３）と、前記二本の水平棒（２ａ）の各後端部に、当該水平棒（２ａ）に対して垂直方向に固定した二本の垂直棒（４）とからなり、前記二本の水平棒（２ａ）の前端部下面を、前記側溝（５）の切土法尻（Ｔ）側である外側壁（５ａ）の上端面に上載すると共に、前記垂直棒（４）の下部を切土法尻（Ｔ）に埋設し、前記回動部材（３）を、通常時は、起立姿勢としてフェンスとして機能させ、大雨等の災害時には、横転姿勢として側溝（５）の上端開口部（５ｄ）を塞ぎ、当該側溝（５）の蓋として機能させてなることを特徴とする。
【００１１】
また、請求項２に記載の発明は、前記回動部材（３）を、雨水や流出する土砂の圧力によって自動的に回動させて前記横転姿勢とし、側溝（５）の蓋として機能させてなることを特徴とする。
【００１２】
さらに、請求項３に記載の発明は、前記水平部材（２）の第一板材（２ｂ）と、前記回動部材（３）の第二板材（３ｂ）との間に、雨水が通過する間隙（Ｇ）を形成してなることを特徴とする。
【００１３】
またさらに、請求項４に記載の発明は、前記回動部材（３）の前記起立姿勢の位置決めを、当該回動部材（３）の第二板材（３ｂ）の下端角部（３ｃ）を、前記水平部材（２）の第一板材（２ｂ）の上面に当接させて行ってなることを特徴とする。
【００１４】
なお、カッコ内の記号は図面および後述する発明の実施の形態に記載された対応要素または対応事項を示す。
【００１５】
本発明の請求項１に記載の発明によれば、回動部材を、通常時は、起立姿勢としてフェンスとして機能させると共に、大雨等の災害時には、横転姿勢として側溝の蓋として機能させるので、通常時においては土砂の林道への流出を防止し、災害時には側溝の上端開口部を塞いで、当該側溝内に土砂が流入するのを防止することができる。
従って、側溝によって形成される水路を確保することができ、浸水や土石流の発生といった被害を防止することができる。
【００１６】
また、請求項２に記載の発明によれば、回動部材を、雨水や流出する土砂の圧力によって自動的に回動させて側溝の蓋とするので、当該回動部材を人力によって回動させる必要がない。
従って、大きな災害時でも、安全に側溝の水路を確保することができ、被害をより未然に防止することができる。
【００１７】
さらに、請求項３に記載の発明によれば、水平部材の第一板材と、回動部材の第二板材との間に、雨水が通過する間隙を形成しているので、通常時においてフェンスとして機能する際には、雨水のみを通過させて、土砂の流出を堰き止めることができる。
また、災害時において側溝蓋として機能させる際にも、雨水のみを側溝内へ流し、土砂の流入を遮断するので、側溝の水路を効果的に確保することができる。
【００１８】
またさらに、請求項４に記載の発明によれば、回動部材の起立姿勢の位置決めを、当該回動部材の第二板材の下端角部を、水平部材の第一板材の上面に当接させて行うので、特別の位置決め機構を必要とせず、簡易な構成で、安定した起立姿勢を確保することができる。
【００１９】
【発明の実施の形態】
図１乃至図３を参照して、本発明の実施形態に係る側溝蓋兼用ウッドフェンス１について説明する。図１は本発明の実施形態に係る側溝蓋兼用ウッドフェンス１において、回動部材３が起立姿勢にある状態を示す斜視図であり、図２は回動部材３が横転姿勢にある状態を示す斜視図である。また、図３はその側面図である。
【００２０】
本発明の実施形態に係る側溝蓋兼用ウッドフェンス１は、間伐材を使用して製作し、切土法尻Ｔに、林道Ｒの側溝５に沿って設けたもので、水平部材２、回動部材３および二本の垂直棒４で構成している。なお、側溝５は、底壁５ｂから内側壁５ｃと外側壁５ａを立設した断面略Ｕ字状であり、それを多数、直列状に並べて水路Ｐを形成している。
【００２１】
水平部材２は、一定間隔で水平方向に平行に配置した二本の水平棒２ａ間に、複数の平板状の第一板材２ｂを架設して形成している。また、水平棒２ａの前部下面にガイド棒２ｃを設け、そのガイド棒２ｃを側溝５の外側壁５ａ外面に当接させて側溝蓋兼用ウッドフェンス１の側溝５に対する位置決めを行っている。
【００２２】
回動部材３は、二本の水平棒２ａの各前端部に、後端部を回動自在に取付けた二本の回動棒３ａ間に、複数の平板状の第二板材３ｂを架設して形成している。また、二本の垂直棒４は、その上部を、二本の水平棒２ａの各後端部に、当該水平棒２ａに対して垂直方向に固定している。
【００２３】
なお、水平棒２ａ、回動棒３ａおよび垂直棒４は、角材で構成し、第一板材２ｂおよび第二板材３ｂは平板で構成している。また、回動棒３ａは、ボルト６とナット７で水平棒２ａに回動自在に取付けており、当該ボルト６とナット７の締付け力を加減することによって、回動部材３を水平部材２に対して回動自在に設定する。
【００２４】
また、二本の水平棒２ａの前端部下面を、側溝５の切土法尻Ｔ側である外側壁５ａの上端面に上載すると共に、垂直棒４の下部を切土法尻Ｔに埋設している。そして、回動部材３を、通常時は、起立姿勢としてフェンスとして機能させ、大雨等の災害時には、横転姿勢として側溝５の蓋として機能させる。
【００２５】
従って、通常時は、起立姿勢で土砂の林道Ｒへの流出を堰き止め、また、大雨等の災害時には、自動的に回動して側溝５の上端開口部５ｄを塞ぎ、その側溝５内に土砂が流入するのを防止する。なお、回動部材３の回動については、上述したように、ボルト６とナット７の締付け力に大きく依存している。
これにより、側溝５の水路Ｐを確実に確保することができ、浸水や土石流の発生といった被害を未然に防ぐことができる。
【００２６】
なお、この側溝蓋兼用ウッドフェンス１は、起立姿勢にある回動部材３を、雨水や流出する土砂の圧力といった自然の力によって回動させて横転姿勢とし、側溝５の蓋として機能させている。
従って、人力によって回動させる必要がなく、大きな災害時でも、安全に側溝５の水路Ｐを確保することができる。なお、この回動部材３は、人力によって回動して横転姿勢とすることもできる。
【００２７】
また、水平部材２の第一板材２ｂと、回動部材３の第二板材３ｂとの間に、雨水が通過する間隙Ｇを形成している。
従って、通常時、フェンスとして機能する際には、雨水のみを通過させて、土砂の流出を効果的に堰き止め、また、災害時に側溝５の蓋として機能する際にも、雨水のみを側溝５内へ流して、側溝５の水路Ｐを確実に確保することができる。
【００２８】
なお、回動部材３を起立姿勢とした状態では、第二板材３ｂの下端角部３ｃが第一板材２ｂに当接しているので、大きな隙間は形成されないが、第一板材２ｂおよび第二板材３ｂは平板状の木材であるため多少の撓みが発生する。この撓みを利用して間隙Ｇを形成することができる。
【００２９】
さらに、回動部材３の起立姿勢の位置決めを、当該回動部材３の第二板材３ｂの下端角部３ｃを、水平部材２の第一板材２ｂの上面に当接させて行うようにしている。
従って、位置決めのための特別の機構を必要とせず、簡易な構成で、安定した起立姿勢を確保することができる。なお、起立時における回動部材３は、安定した起立姿勢を得るために、垂直線方向よりやや切土法尻側に傾斜させている。
【００３０】
なお、図４に示すように、本実施形態に係る側溝蓋兼用ウッドフェンス１を切土法尻Ｔに設けると共に、その上方の法面Ｓに、通常のウッドソイルフェンス１０を設けることができる。
これにより、通常時においては、土砂の流出をより未然に防止することができ、また、災害時においては、通常のウッドソイルフェンス１０で土砂の流出を防ぎ、側溝蓋兼用ウッドフェンス１で、それを乗り越えた土砂が側溝５内に流入することを防ぐことができる。これにより、災害による被害を、より確実に防止することができる。
【００３１】
【発明の効果】
本発明の請求項１に記載の発明によれば、回動部材を、通常時は、起立姿勢としてフェンスとして機能させると共に、大雨等の災害時には、横転姿勢として側溝の蓋として機能させるので、通常時は土砂の林道への流出を防止し、災害時には側溝の上端開口部を塞いで、当該側溝内に土砂が流入するのを防止することができる。これにより、側溝の水路を確保することができ、浸水や土石流の発生といった被害を未然に防ぐことができる。
【００３２】
また、請求項２に記載の発明によれば、回動部材を、雨水や流出する土砂の圧力によって自動的に回動させて側溝の蓋とするので、当該回動部材を人力によって回動させる必要がない。従って、大きな災害時でも、安全に側溝の水路を確保することができ、被害をより未然に防止することができる。
【００３３】
さらに、請求項３に記載の発明によれば、水平部材の第一板材と、回動部材の第二板材との間に、雨水が通過する間隙を形成しているので、通常時、フェンスとして機能する際には、雨水のみを通過させて、土砂の流出を堰き止めるフェンスとしての機能を効果的に発揮することができる。また、災害時に側溝蓋として機能させる際にも、雨水のみを側溝内へ流して、側溝の水路を確保するための蓋としての機能を効果的に発揮させることができる。
【００３４】
またさらに、請求項４に記載の発明によれば、回動部材の起立姿勢の位置決めを、当該回動部材の第二板材の下端角部を、水平部材の第一板材の上面に当接させて行うので、特別の位置決め機構を必要とせず、簡易な構成で、安定した起立姿勢を確保することができる。
【図面の簡単な説明】
【図１】本発明の実施形態に係る側溝蓋兼用ウッドフェンスを示す斜視図である（回動部材が起立姿勢にある状態）。
【図２】本発明の実施形態に係る側溝蓋兼用ウッドフェンスを示す斜視図である（回動部材が横転姿勢にある状態）。
【図３】本発明の実施形態に係る側溝蓋兼用ウッドフェンスを示す側面図である。
【図４】本発明の実施形態に係る側溝蓋兼用ウッドフェンスを、切土法尻に設置した状態を示す側面図である。
【符号の説明】
１      側溝蓋兼用ウッドフェンス
２      水平部材
２ａ    水平棒
２ｂ    第一板材
２ｃ    ガイド棒
３      回動部材
３ａ    回動棒
３ｂ    第二板材
３ｃ    下端角部
４      垂直棒
５      側溝
５ａ    外側壁
５ｂ    底壁
５ｃ    内側壁
５ｄ    上端開口部
６      ボルト
７      ナット
１０      通常のウッドソイルフェンス
Ｇ      間隙
Ｔ      切土法尻
Ｓ      切土法面
Ｐ      水路
Ｒ      林道
【図１】
0003672904.tif 000002
【図２】
0003672904.tif 000003
【図３】
0003672904.tif 000004
【図４】
0003672904.tif 000005